(57)【特許請求の範囲】
【請求項１】
上枠、下枠及び縦枠が組まれて壁枠組が形成されている壁パネルの上枠上面にボルトの先端が突出され、根太が組まれて床枠組みが形成されている上階床パネルの側縁の根太の下面に上記上枠と接合される枠材が取り付けられ、この枠材に予め設けられた貫通孔に上記ボルトを挿通せしめ、ボルトにナットを螺入することで、上枠と枠材とを締結してなる壁パネルと上階床パネルとの接合構造であって、貫通孔にボルトを挿通可能で、かつ外径が貫通孔内径に略等しい筒状金具が取り付けられ、筒状金具の下端部に突起が形成され、この突起が上枠上面に突き刺されることで、上記上枠と上記枠材との境界に跨って上記筒状金具が配設されることを特徴とする壁パネルと上階床パネルとの接合構造。
【請求項２】
前記筒状金具が上面に外径より大きなつばを有していることを特徴とする請求項１記載の壁パネルと上階床パネルとの接合構造。
【請求項３】
前記筒状金具の下端部に、全外周に連続的なテーパー加工１と、更に外周方向に不連続的にテーパー１より大きい角度になされたテーパー加工２とが施されて上記突起が形成されていることを特徴とする請求項１又は２記載の壁パネルと上階床パネルとの接合構造。
【請求項４】
前記筒状金具の下端部に、全内周に連続的なテーパー加工１と、更に内周方向に不連続的にテーパー１より大きい角度になされたテーパー加工２とが施されて上記突起が形成されていることを特徴とする請求項１又は２記載の壁パネルと上階床パネルとの接合構造。
【請求項５】
前記筒状金具の下端部に、複数の突起が形成され、この突起と突起との間に筒に平行で一定長さの切り込みがなされていることを特徴とする請求項１又は２記載の壁パネルと上階床パネルとの接合構造。
【請求項６】
請求項１〜５のいずれかに記載の壁パネルと上階床パネルとの接合構造によって下階ユニットの壁パネルと上階ユニットの床パネルとが接合されてなるユニット建物。
【発明の詳細な説明】
【０００１】
【発明の属する技術分野】
本発明は、壁パネルと上階床パネルとの接合構造及びユニット建物に関する。
【０００２】
【従来の技術】
従来、枠組み壁工法の建物は第１０図に示すようにして完成される（従来技術１）。即ち、基礎１に土台２をアンカーボルト３で固定し、この上に根太４を配置して釘５を斜め打ちして固定して床枠組みを形成させ、その上に床板６を張ることにより床パネルとなし、この床パネルの上に上枠７、下枠８、縦枠９が組まれた壁枠組みを有する壁パネルを、その下枠８において釘５で固定することにより立設させ、この壁パネルの上枠７の上に根太を掛け渡し前述と同様にして２階の床パネルを形成、固定させるという順序で作業が進められる。
【０００３】
そして住宅の工業生産化の一方式として建物ユニットの方式があり、この建物ユニット方式を前述の枠組み壁工法に適用して床パネルに壁パネルを立設して箱形になした建物ユニットを工場で組み立て、その複数個を建築現場で据え付ける方法を採ろうとすると、建物ユニットの基礎への固定や１階の建物ユニットと２階の建物ユニットとの接合が面倒なものとなる。即ち土台と１階の建物ユニットの床パネルの根太との固定あるいは、１階の建物ユニットの壁パネルの上枠と２階の建物ユニットの床パネルの根太との固定を釘打ちによって行おうとしても、前述のように下から順次組み立てていく在来工法と異なり、床梁や壁枠に面材が予め張設されているので、これらが邪魔になるのである。
【０００４】
そのため、図９に示すように、現場据え付け時に、予め下階建物ユニットの壁パネル１６の上枠１８から突出するボルト３１を設けておき、上階建物ユニットの床パネル１０の下枠２２には貫通孔２４がボルト３１を通し易くするためボルト径より大きくして設けられ、容易に固定作業ができるようになされている（従来技術２）。尚、１２は根太、１５は床面材、１７は縦枠、２５、２６は面材、３０はナットである。
【０００５】
【発明が解決しようとする課題】
然しながら、上記従来技術２では、貫通孔２４がボルト径より大きくなされているが、座金２９で締めつけることによって水平方向の力Ｈｐによる変位を防止している。しかしながら、今後、建物の大型化高層化が要求され、それに伴って水平方向の力Ｈｐも極大化すると、この間隙だけ変位を生じ得るという問題がある。
【０００６】
本発明は、上記問題点に鑑みてなされたものであって、建物ユニット等を構成する壁パネルと上階床パネルとの接合において極めて大きな水平方向の力を受けても変位量の少ない接合構造と、この接合構造で組み立てられたユニット建物を提供するものである。
【０００７】
【課題を解決するための手段】
本発明は、上枠、下枠及び縦枠が組まれて壁枠組が形成されている壁パネルの上枠上面にボルトの先端が突出され、根太が組まれて床枠組みが形成されている上階床パネルの側縁の根太の下面に上記上枠と接合される枠材が取り付けられ、この枠材に予め設けられた貫通孔に上記ボルトを挿通せしめ、ボルトにナットを螺入することで、上枠と枠材とを締結してなる壁パネルと上階床パネルとの接合構造である。
【０００８】
そして、貫通孔にボルトを挿通可能で、かつ外径が貫通孔内径に略等しい筒状金具が取り付けられ、筒状金具の下端部に突起が形成され、この突起が上枠上面に突き刺されていることを特徴とする。
【０００９】
ここで、前記筒状金具が上面に外径より大きなつばを有していることを特徴とすることができる。
【００１０】
また、前記筒状金具の下端部に、全外周に連続的なテーパー加工１と、更に外周方向に不連続的にテーパー１より大きい角度になされたテーパー加工２とが施されて上記突起が形成されていることを特徴とする。
【００１１】
さらに、前記筒状金具の下端部に、全内周に連続的なテーパー加工１と、更に内周方向に不連続的にテーパー１より大きい角度になされたテーパー加工２とが施されて上記突起が形成されていることを特徴とする。
【００１２】
また、前記筒状金具の下端部に、複数の突起が形成され、この突起と突起との間に筒に平行で一定長さの切り込みがなされていることを特徴とする。
【００１３】
上記筒状金具は、木材の接合金具であって、つば付き筒状金具の場合はつばは大きい程水平方向の力Ｈｐを受けても変位量の少ない接合構造とすることができる。床パネルの下枠（頭つなぎ）上面の範囲までつばの外径が大きく（例えば、つばの最大外径８９ｍｍ）とも良い。又、筒状金具の下端部の突起は上枠上面に突き刺さって、水平方向の力Ｈｐを受けても変位量の少ない接合構造とするために、確実に木材に食い込む形状であることが好ましく、複数の鋭い突起を有する事が好ましい。
【００１６】
また、本発明は、上記の壁パネルと上階床パネルとの接合構造によって下階ユニットの壁パネルと上階ユニットの床パネルとが接合されてなるユニット建物である。
【００１７】
【作用】
壁パネルの上枠上面にボルトの先端が突出され、上階床パネルの側縁の根太の下面に上記上枠と接合される枠材に予め設けられた貫通孔に上記ボルトを挿通せしめ、ボルトにナットを螺入することで、上枠と枠材とを締結してなる壁パネルと上階床パネルとの接合構造であって、ボルトと貫通孔との間隙を接着剤で充填固化してあれば、極めて大きな水平の力を受けても変位量が少ない。
【００１８】
これに対して本発明によれば、壁パネルの上枠上面にボルトの先端が突出され、上階床パネルの側縁の根太の下面に上記上枠と接合される枠材に予め設けられた貫通孔に上記ボルトを挿通せしめ、ボルトにナットを螺入することで、上枠と枠材とを締結してなる壁パネルと上階床パネルとの接合構造であって、貫通孔に筒状の金具を挿入し、筒状の金具の下端の突起が壁上枠に突き刺さって固定され、筒状の金具の外径が貫通孔の内径と略等しいので、上枠と枠材が更に固定され、極めて大きな水平の力を受けても変位量が少ない。
【００１９】
また、前記筒状の金具が上面に外径より大きなつばを有していれば、水平方向の力Ｈｐを受けてもつばが床パネルの下枠（頭つなぎ）上面から受ける反力が働くので、より確実に変位量を少なくすることができる。
【００２０】
さらに、前記筒状金具の下端部に、全外周に連続的なテーパー加工１と、更に外周方向に不連続的にテーパー１より大きい角度になされたテーパー加工２とが施されて上記突起が形成されていれば、鋭い突起が形成され、上枠上面に確実に突き刺ささり、水平方向の力Ｈｐを受けても変位量が少ない。
【００２１】
また、前記筒状金具の下端部に、全内周に連続的なテーパー加工１と、更に内周方向に不連続的にテーパー１より大きい角度になされたテーパー加工２とが施されて上記突起が形成されていれば、鋭い突起が形成され、上記と同様な作用効果が得られる。
【００２２】
さらに、前記筒状金具の下端部に、複数の突起が形成され、この突起と突起との間に筒に平行で一定長さの切り込みがなされていれば、貫通孔に挿通しやすく、上枠上面に突き刺さる際に切り込みの弾性変形により、その後の保持力が持続し、より確実に変位量を少なくすることができる。
【００２４】
さらに、上記の壁パネルと上階床パネルとの接合構造によって下階ユニットの壁パネルと上階ユニットの床パネルとが接合されてなるユニット建物であるので、地震等の災害に強いユニット建物が得られる。
【００２５】
【発明の実施の形態】
図１は本発明が適用される建物ユニットを示す一部破断斜視図、図２（イ）は第１実施形態により構築されたユニット建物の斜視図、図２（ロ）はＡ−Ａ線の一部切り欠き垂直断面図、図３（イ）は第２実施形態（Ｉ）を示す壁パネル上枠と上階床パネル枠材の接合構造を示す部分模式図、図３（ロ）はその部分断面図、図４（イ）は第２実施形態の別の例（ＩＩ）を示す筒状の金具の斜視図、図４（ロ）は平面図、図４（ハ）及び（ニ）は側面図、図４（ホ）は壁パネル上枠と上階床パネル枠材の接合構造を示す部分断面図、図５（イ）は第２実施形態の更に別の例（ＩＩＩ）を示す筒状の金具の下端部平面図、図５（ロ）は側面図、図５（ハ）は図５（イ）のａ−ａ線断面図、図５（ニ）は図５（イ）のｂ−ｂ線断面図、図６（イ）は第２実施形態の更に別の例（ＩＶ）を示す筒状の金具の下端部平面図、図６（ロ）は側面図、図６（ハ）は図６（イ）のｃ−ｃ線断面図、図６（ニ）は図６（イ）のｄ−ｄ線断面図、図７（イ）は第２実施形態の更に別の例（Ｖ）を示す筒状の金具の斜視図、図７（ロ）は第２実施形態の更に別の例（ＶＩ）を示す筒状の金具の斜視図、図８（イ）は第３実施形態の壁パネル上枠と上階床パネル枠材の接合構造を示す部分模式図、図８（ロ）はその部分断面図である。
【００２６】
（建物ユニット）建物ユニットＴは、図１に示す如く、床パネル１０は根太１１，１１，・・・と最外縁の側根太１２，１２に直交してその木口と突きつけの状態で端根太１３，１３が釘打ちされて矩形状の枠組みとされ、さらに根太１１，１１・・・及び側根太１２，１２の相互間に受け材１４，１４・・・も取り付けられて床枠組みが構成され、この床枠組みの上面に構造用合板やパーティクルボード等の面材１５が取り付けられて構成されている。１６，１６，１６は壁パネルであり、床パネル１０の側縁に沿って立設されている。図１では壁パネル１６は床パネル１０の三方に立設されているが、建物ユニットが建物のどの箇所を構成するかに応じて立設され、かつ少なくとも一対の相対向する側縁に沿って立設される。
【００２７】
壁パネル１６は、縦枠１７，１７・・・の上端と下端の各々においてこれらの木口と突きつけの状態で上枠１８と下枠１９が各々釘打ちされて壁枠組みとされ、この内面及び外面の両側に石膏ボードや木片セメント板等の面材が取り付けられ、それらの面材の外面は各々内装外装の仕上げも施され、さらに内部に必要に応じて断熱材が充填されて構成される。又、これらの壁パネル１６には必要に応じて出入り口や窓等の開口部が形成される。
【００２８】
（第１実施形態（参考））図２（イ）は第１実施形態により構築されたユニット建物の斜視図を示す。工場で生産された建物ユニットＴ1,Ｔ２は建築現場に輸送され、予め敷設された基礎１の上に据え付け、この上に屋根ユニット３５を取り付け、種々な仕上げを行ってユニット建物Ｕが完成する。
【００２９】
図２（ロ）は上記ユニット建物ＵのＡ−Ａ線の一部切り欠き垂直断面図であり、第１実施形態の接合構造を示す。即ち、下階壁パネル１６ａは上枠１８ａの下面から予め外径１６ｍｍの接合ボルト３１を螺着して上枠１８ａの上面よりも突出させておき、この接合ボルト３１が上階床パネル１０ａの頭つなぎ（上枠と接合される枠材）２２に設けられたボルト径より大きい径を有する内径３０ｍｍの貫通孔２４に挿通されるように位置決めして載置される。そして、接合ボルト３１と貫通孔２４との間の隙間に一液型の湿気硬化性ポリウレタン系接着剤４０で充填し、その後座金２９ｂ及びナット３０によって緊結されることにより下階壁パネル１６ａと上階床パネル１０ａとが固定される。尚１０ｂは床パネルであり下階壁パネル１６ａと生産工場で予め一体になされている。１２ａ、１２ｂは床根太、１５ａ、１５ｂは床面材、１７ａは縦枠、１９ａは下枠、２５ａは内面材、２６ａは外面材をそれぞれ表す。
【００３０】
上記接合ボルト３１と貫通孔２４との間の隙間に充填した一液型の湿気硬化性ポリウレタン系接着剤４０は空気中の湿気により硬化すると、隙間が硬質物で充填されることになるので建物ユニット間に極めて大きな水平の力が懸かっても変位量の少ない躯体構造が得られる。
【００３１】
（第２実施形態Ｉ）図３（イ）は第２実施形態Ｉを示す壁パネル上枠と上階床パネル枠材の接合構造を示す部分模式図、図３（ロ）はその部分断面図を示す。第１実施形態と同様にして、下階壁パネルの上枠１８ｃの下面から予め外径１６ｍｍの接合ボルト３１を螺着して上枠１８ｃの上面よりも突出させておき、この接合ボルト３１が上階床パネルの頭つなぎ（上枠と接合される枠材）２２ｃに設けられたボルト径より大きい径を有する内径３０ｍｍの貫通孔２４ｃに挿通されるように位置決めして載置される。そして、接合ボルト３１と貫通孔２４ｃとの間の隙間に、貫通孔２４の内径と略等しい外径の筒状の金具４１を挿通する。次いで座金２９ｂとナット３０により緊結する。この時、ナット３０の締め付けにより、筒状の金具４１は押し下げられ、上枠１８ｃの上面から筒状の金具４１の下側の突起４２が食い込む。
【００３２】
上記接合ボルト３１と貫通孔２４ｃとの間の隙間に、貫通孔２４ｃの内径と略等しい外径の筒状の金具４１を挿通し上枠１８ｃの上面から筒状の金具４１の下側の突起４２を食い込ませ、次いで座金２９ｂとナット３０により緊結されているので堅牢な接合構造となり、建物ユニット間に極めて大きな水平の力が懸かっても変位量の少ない躯体構造が得られる。即ち、筒状の金具４１の突起４２が上枠１８ｃに突き刺さっているので、筒状の金具４１と上枠１８ｃとは変位せず、また筒状の金具４１の外径が頭つなぎ２２ｃの貫通孔の内径と略等しいので筒状の金具４１と頭つなぎ２２ｃとは変位しない。よって、上枠１８ｃと頭つなぎ２２ｃとは変位しないから、その結果、変位量の少ない躯体構造が得られる。
【００３３】
（第２実施形態ＩＩ）図４（イ）は筒状の金具の別の実施例を示し、つば４１１Ａ付き筒状の金具４１Ａである。つばの外径は３８ｍｍであり、筒状の金具４１Ａの外径は２９ｍｍ、内径は２５ｍｍ、厚み２ｍｍである。筒状の金具４１Ａの下端部４２Ａは図４（ハ）に示すように、周方向に連続して４ｍｍ巾のテーパー１（角度３０度）を有し、次いで図４（ニ）に示すように周方向に不連続に６ヵ所、角度４５度で切削し突起４２３Ａを形成する。図４（ホ）は上記筒状の金具４１Ａを用いた壁パネル上枠と上階床パネル枠材の接合構造を示す部分断面図を示す。第２実施形態と同様のものには同番号を付し、説明を省略する。本実施例は第２実施形態Ｉと比較すると筒状の金具４１Ａのみが異なる。筒状の金具４１Ａはつば４１１Ａを有しているので、ナット３０の締め付けにより、確実に頭つなぎ（上枠と接合される枠材）２２ｃに押し下げられ、更に、上枠１８ｃの上面から筒状の金具４１Ａの下側の突起４２Ａが食い込む。
【００３４】
上記接合ボルト３１と貫通孔２４ｃとの間の隙間に、貫通孔２４ｃの内径３０ｍｍと略等しい外径２９ｍｍのつば付き４１１Ａ筒状の金具４１Ａを挿通し上枠１８ｃの上面から筒状の金具４１Ａの下側の突起４２Ａを食い込ませ、次いで座金２９ｂとナット３０により緊結されているのでより堅牢な接合構造となり、建物ユニット間に極めて大きな水平の力が懸かっても変位量の少ない躯体構造が得られる。即ち、つば付き４１１Ａ筒状の金具４１Ａの突起４２Ａが上枠１８ｃに突き刺さっているので、筒状の金具４１Ａと上枠１８ｃとは変位せず、また筒状の金具４１Ａのつば４１１Ａが頭つなぎ２２ｃの上面からの反力により、筒状の金具４１Ａの動きを抑え、又外径が２９ｍｍで頭つなぎ２２ｃの貫通孔の内径３０ｍｍと略等しいので筒状の金具４Ａ１と頭つなぎ２２ｃとは変位しない。よって、上枠１８ｃと頭つなぎ２２ｃとは変位しないから、その結果、より変位量の少ない躯体構造が得られる。
【００３５】
（第２実施形態ＩＩＩ）図５（イ）、（ロ）はさらに別の筒状の金具４１Ｂの実施例を示し、筒状の金具４１Ｂの下端部に突起を形成する方法を示している。即ち、テーパー１の加工を行い図５（ハ）に示すように、図５（イ）のａ−ａ線断面が、内径４１２Ｂ面が高く、外径４１１Ｂ面が低くなるように、外周方向にテーパー加工され、テーパー４２１Ｂを得る。テーパー４２１Ｂ面と内径４１２Ｂ面とのなす角度は３０度になされている。次いで、外周方向に不連続的に６ヵ所、角度４５度で切削しテーパー４２２Ｂ面を得る。図５（ニ）に示すように、図５（イ）のｂ−ｂ線断面において、テーパー４２２Ｂ面と内径４１２Ｂ面とのなす角度は４５度になされている。その結果鋭い突起４２３Ｂが６箇所得られる。
【００３６】
即ち、上記に示す方法により、筒状の金具４１Ｂに鋭い突起４２３Ｂが低コストで容易に得られる。そのため、筒状の金具４１Ｂに鋭い突起４２３Ｂが上枠１８ｃに確実に突き刺さるので、筒状の金具４１Ｂと上枠１８ｃとは変位せず、また筒状の金具４１Ｂの外径が頭つなぎ２２ｃの貫通孔の内径と略等しいので筒状の金具４１Ｂと頭つなぎ２２ｃとは変位しない。よって、上枠１８ｃと頭つなぎ２２ｃとは変位しないから、その結果、より変位量の少ない躯体構造が得られる。
【００３７】
（第２実施形態ＩＶ）図６（イ）、（ロ）はさらに別の筒状の金具４１Ｃの実施例を示し、筒状の金具４１Ｃの下端部に突起を形成する方法を示している。即ち、テーパー１の加工を行い図５（ハ）に示すように、図６（イ）のｃ−ｃ線断面が、内径４１２Ｃ面が低く、外径４１１Ｃ面が高くなるように、内周方向にテーパー加工され、テーパー４２１Ｃを得る。テーパー４２１Ｃ面と内径４１２Ｃ面とのなす角度は３０度になされている。次いで、内周方向に不連続的に６ヵ所、角度４５度で切削しテーパー４２２Ｃ面を得る。図６（ニ）に示すように、図６（イ）のｄ−ｄ線断面において、テーパー４２２Ｃ面と内径４１２Ｃ面とのなす角度は４５度になされている。その結果鋭い突起４２３Ｃが６箇所得られる。
【００３８】
即ち、上記に示す方法により、筒状の金具４１Ｃに鋭い突起４２３Ｃが低コストで容易に得られる。そのため、筒状の金具４１Ｃに鋭い突起４２３Ｃが上枠１８ｃに確実に突き刺さり、且つ突き刺さるときに、逆テーパーによりボルト穴を圧縮する方向に力が働き、よりボルト固定力が向上するので、筒状の金具４１Ｃと上枠１８ｃとは変位せず、また筒状の金具４１Ｃの外径が頭つなぎ２２ｃの貫通孔の内径と略等しいので筒状の金具４１Ｃと頭つなぎ２２ｃとは変位しない。よって、上枠１８ｃと頭つなぎ２２ｃとは変位しないから、その結果、より変位量の少ない躯体構造が得られる。
【００３９】
（第２実施形態Ｖ，ＶＩ）図７（イ）、（ロ）はさらに別の筒状の金具４１Ｄ（第２実施形態Ｖ），４１Ｅ（第２実施形態ＶＩ）の実施例を示している。筒状の金具４１Ｄと筒状の金具４１Ｅとは、筒状の金具４１Ｄに鍔４２３Ｄを有している以外は同じであるので、筒状の金具４１Ｄについて説明する。筒状の金具４１Ｄの下端部には複数の突起４２１Ｄが形成され、この突起４２１Ｄと突起４２１Ｄとの間に筒に平行で一定長さの切り込み４２２Ｄがなされている。その結果、突起４２１Ｄは弾性変形することが可能である。
【００４０】
即ち、上記に示す方法により、筒状の金具４１Ｄ、又は４１Ｅに弾性変形可能な突起４２３Ｄ（又は４２３Ｅ）が形成される。そのため、頭つなぎ２２ｃの貫通孔に挿通する際の抵抗が低減し、上枠１８ｃに突き刺さる際に生じる切り込み４２２Ｄの弾性変形により突き刺さり保持力の持続性が増し、その結果、より変位量の少ない躯体構造が得られる。
【００４１】
（第３実施形態（参考））図８（イ）は第３実施形態を示す壁パネル上枠と上階床パネル枠材の接合構造を示す部分模式図、図８（ロ）はその部分断面図を示す。第１実施形態と同様にして、下階壁パネルの上枠１８ｄの下面から予め外径１６ｍｍの接合ボルト３１を螺着して上枠１８ｄの上面よりも突出させておき、この接合ボルト３１が上階床パネルの頭つなぎ（上枠と接合される枠材）２２ｄに設けられたボルト径より大きい径を有する内径３０ｍｍの貫通孔２４ｄに挿通されるように位置決めして載置される。そして、ナット３０と頭つなぎ（上枠と接合される枠材）２２ｄの間にジベルプレート４３を介在させ、ジベルプレート４３のボルト挿通孔４４に接合ボルト３１を挿通しナット３０により緊結する。そのため、ジベルプレート４３の突起４５が上階床パネルの頭つなぎ（上枠と接合される枠材）に食い込み上枠と頭つなぎが強固に固定される。
【００４２】
上記ジベルプレート４３のボルト挿通孔４４はボルト径と略等しく、またジベルプレート４３の突起４５が上階床パネルの頭つなぎ（上枠と接合される枠材）に食い込んで固定されるので、堅牢な接合構造となり、建物ユニット間に極めて大きな水平の力が懸かっても変位量の少ない躯体構造が得られる。即ち、上枠１８ｄのボルト挿通孔はボルト径と略等しいので、両者は変位せず、ジベルプレート４３のボルト挿通孔４４はボルト径と略等しいので、両者は変位せず、ジベルプレート４３は頭つなぎ２２ｄに突き刺さっているので、両者は変位しない。よって上枠１８ｄと頭つなぎ２２ｄとは変位しないから、その結果、変位量の少ない躯体構造が得られる。
【００４３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００４４】
【発明の効果】
壁パネルの上枠上面にボルトの先端が突出され、上階床パネルの側縁の根太の下面に上記上枠と接合される枠材に予め設けられた貫通孔に上記ボルトを挿通せしめ、ボルトにナットを螺入することで、上枠と枠材とを締結してなる壁パネルと上階床パネルとの接合構造であって、ボルトと貫通孔との間隙を接着剤で充填固化してあれば、極めて大きな水平の力を受けても変位量が少ない。
【００４５】
これに対して本発明によれば、壁パネルの上枠上面にボルトの先端が突出され、上階床パネルの側縁の根太の下面に上記上枠と接合される枠材に予め設けられた貫通孔に上記ボルトを挿通せしめ、ボルトにナットを螺入することで、上枠と枠材とを締結してなる壁パネルと上階床パネルとの接合構造であって、貫通孔に筒状の金具を挿入し、筒状の金具の下端の突起が壁上枠に突き刺さって固定され、筒状の金具の外径が貫通孔の内径と略等しいので、上枠と枠材が更に固定され、極めて大きな水平の力を受けても変位量が少ない。
【００４６】
また、前記筒状の金具が上面に外径より大きなつばを有しているので、水平方向の力Ｈｐを受けてもつばが床パネルの下枠（頭つなぎ）上面から受ける反力が働くので、より確実に変位量を少なくすることができる。
【００４７】
さらに、前記筒状金具の下端部に、全外周に連続的なテーパー加工１と、更に外周方向に不連続的にテーパー１より大きい角度になされたテーパー加工２とが施されて上記突起が形成されているので、鋭い突起が形成され、上枠上面に確実に突き刺ささり、水平方向の力Ｈｐを受けても変位量が少ない。
【００４８】
また、前記筒状金具の下端部に、全内周に連続的なテーパー加工１と、更に内周方向に不連続的にテーパー１より大きい角度になされたテーパー加工２とが施されて上記突起が形成されているので、鋭い突起が形成され、上記と同様な作用効果が得られる。
【００４９】
さらに、前記筒状金具の下端部に、複数の突起が形成され、この突起と突起との間に筒に平行で一定長さの切り込みがなされているので、貫通孔に挿通しやすく、上枠上面に突き刺さる際に切り込みの弾性変形により、その後の保持力が持続し、より確実に変位量を少なくすることができる。
【００５１】
さらに、上記の壁パネルと上階床パネルとの接合構造によって下階ユニットの壁パネルと上階ユニットの床パネルとが接合されてなるユニット建物であるので、地震等の災害に強いユニット建物が得られる。
【図面の簡単な説明】
【図１】本発明が適用される建物ユニットを示す一部破断斜視図である。
【図２】（イ）は第１実施形態により構築されたユニット建物の斜視図、（ロ）はＡ−Ａ線の一部切り欠き垂直断面図である。
【図３】（イ）は第２実施形態（Ｉ）を示す壁パネル上枠と上階床パネル枠材の接合構造を示す部分模式図、（ロ）はその部分断面図である。
【図４】（イ）は第２実施形態の別の例（ＩＩ）を示す筒状の金具の斜視図、（ロ）は平面図、（ハ）及び（ニ）は側面図、（ホ）は壁パネル上枠と上階床パネル枠材の接合構造を示す部分断面図である。
【図５】（イ）は第２実施形態の更に別の例（ＩＩＩ）を示す筒状の金具の下端部平面図、（ロ）は側面図、（ハ）は（イ）のａ−ａ線断面図、（ニ）は（イ）のｂ−ｂ線断面図である。
【図６】（イ）は第２実施形態の更に別の例（ＩＶ）を示す筒状の金具の下端部平面図、（ロ）は側面図、（ハ）は（イ）のｃ−ｃ線断面図、（ニ）は（イ）のｄ−ｄ線断面図である。
【図７】（イ）は第２実施形態の更に別の例（Ｖ）を示す筒状の金具の斜視図、（ロ）は第２実施形態の更に別の例（ＶＩ）を示す筒状の金具の斜視図である。
【図８】（イ）は第３実施形態の壁パネル上枠と上階床パネル枠材の接合構造を示す部分模式図、（ロ）はその部分断面図である。
【図９】従来技術２による接合構造を示す一部切り欠き垂直断面図である。
【図１０】従来技術１による接合構造を示す一部切り欠き垂直断面図である。
【符号の説明】
Ｔ，Ｔ１，Ｔ２ 建物ユニット
Ｕ ユニット建物
１０，１０ａ，１０ｂ 床パネル
１６，１６ａ 壁パネル
１８，１８ａ，１８ｃ，１８ｄ 上枠
１９，１９ａ 下枠
２２，２２ｃ，２２ｄ 頭つなぎ（上枠と接合する枠材）
２９ａ，２９ｂ 座金
３０ ナット
３１ 接合ボルト
４０ 接着剤
４１，４１Ａ，４１Ｂ，４１Ｃ，４１Ｄ，４１Ｅ 筒状の金具
４３ ジベルプレート
【図１】
0004456207.tif 000002
【図２】
0004456207.tif 000003
【図３】
0004456207.tif 000004
【図４】
0004456207.tif 000005
【図５】
0004456207.tif 000006
【図６】
0004456207.tif 000007
【図７】
0004456207.tif 000008
【図８】
0004456207.tif 000009
【図９】
0004456207.tif 000010
【図１０】
0004456207.tif 000011